【手続補正書】
【提出日】平成27年8月27日(2015.8.27)
【手続補正１】
【補正対象書類名】特許請求の範囲
【補正対象項目名】全文
【補正方法】変更
【補正の内容】
【特許請求の範囲】
【請求項１】
ユーザが動力駆動型手持ち工具（１００）を操作するためのハンドル（１１０）であって、
前記動力駆動型手持ち工具（１００）は、該工具に前記ハンドル（１１０）を連結するための連結部（１１２）を備える、ハンドル（１１０）において、
前記ハンドル（１１０）が前記連結部に対して第１の挿入位置（７０４）に配置されているときに、前記ハンドル（１１０）の前端部は、前記連結部（１１２）内に挿入されるように構成され、
前記ハンドル（１１０）は、前記連結部に対して、前記第１の挿入位置（７０４）から、前記動力駆動型手持ち工具（１００）を操作するための第２の動作位置へ回転することができ、
前記第２の位置において、前記ハンドル（１１０）を、自動式のロック機構によって、前記連結部（１１２）にロックすることができることを特徴とする、ハンドル。
【請求項２】
前記ハンドル（１１０）の前端部は、実質筒状の筒状部と、実質的に径方向外側に延在する突出部（２０２）と、を有し、
前記突出部（２０２）は、前記ハンドルが前記連結部（１１２）内に挿入されたときに、前記連結部（１１２）に設けられた対応する凹み部（２０６）内を摺動するように構成され、
前記ハンドル（１１０）は、動作位置（７０８）に達するまでは常に前記工具（１００）にロックされる、請求項１に記載のハンドル。
【請求項３】
前記連結部（１１２）に配置された第２のスナップ機構（２１０）と相互作用する突出リング（２０４）をさらに備え、
前記スナップ機構（２１０）は、前記ハンドル（１１０）が前記連結部（１１２）内において回転されるのに十分に深く該連結部（１１２）内に挿入されたことを示す、請求項１に記載のハンドル。
【請求項４】
前記自動式のロック機構は、前記連結部（１１２）に配置されたスナップ式ロック機構（２０８、２１０）であり、
前記ハンドル（１１０）は、前記連結部（１１２）内に挿入された後に回転可能であり、
前記ハンドル（１１０）の回転によって、突出部（２０２）は、前記自動式のロック機構（２０８）を通過し、予め定められた連続的な角度位置の範囲（７０８）に到達し、
前記連続的な角度位置の範囲（７０８）は、異なる作業環境に適応する１以上の動作位置（７１０〜７１８）をさらに含む、請求項１に記載のハンドル。
【請求項５】
前記連結部（１１２）に対する、前記ハンドル（１１０）の前記第２の動作位置は、予め定められた連続的な角度位置の範囲（７０８）の一方端に配置され、
前記予め定められた連続的な角度位置の範囲（７０８）は、１以上の可能性のある動作位置（７１０〜７１８）を含み、
選択された回転位置にロックするために、ラッチが設けられる、請求項１に記載のハンドル。
【請求項６】
前記１以上の動作位置（７１０〜７１８）は、中央位置を含み、
前記第１の挿入位置は、前記中央位置および前記連結部（１１２）に対して、前記ハンドル（１１０）が実質逆さまとなる位置である、請求項４に記載のハンドル。
【請求項７】
動力駆動型手持ち工具（１００）であって、
前記工具（１００）の作業部材（１０２）を駆動するための駆動ユニットを含むハウジング（１０６）を有する本体（１０４）と、
ユーザが前記工具（１００）を操作するためのハンドル（１１０）と、
前記ハンドル（１１０）を前記本体（１０４）に連結するための連結部（１１２）と、を備え、
前記ハンドル（１１０）が前記連結部に対して第１の挿入位置（７０４）に配置されているときに、前記ハンドル（１１０）の前端部は、前記連結部（１１２）の後端部内に挿入可能であり、
前記ハンドル（１１０）は、前記連結部に対して、非操作用の前記第１の挿入位置から、動力駆動型手持ち工具（１００）を操作するための第２の動作位置へ回転することができ、
前記第２の位置において、前記ハンドル（１１０）を、自動式のロック機構によって、前記連結部（１１２）にロックすることができることを特徴とする、動力駆動型手持ち工具。
【請求項８】
前記連結部（１１２）に対する、前記ハンドル（１１０）の前記第２の動作位置は、予め定められた連続的な角度位置の範囲（７０８）の一方端に配置され、
前記連続的な角度位置の範囲（７０８）は、１以上の動作位置（７１０〜７１８）を含む、請求項７に記載の動力駆動型手持ち工具。
【請求項９】
前記１以上の動作位置（７１０〜７１８）は、中央位置を含み、
前記第１の挿入位置は、前記中央位置および前記連結部（１１２）に対して、前記ハンドル（１１０）が実質逆さまとなる位置である、請求項８に記載の動力駆動型手持ち工具。
【請求項１０】
前記自動式のロック機構は、スナップ式ロック機構（２０８、２１０）である、請求項７〜９のいずれか１項に記載の動力駆動型手持ち工具。
【請求項１１】
前記ハンドル（１１０）の前端部は、実質筒状の筒状部と、実質的に径方向外側に延在する突出部（２０２）と、を有し、
前記連結部（１１２）は、対応する凹み部（２０６）を有し、
前記凹み部（２０６）および前記突出部（２０２）は、前記ハンドルが前記連結部（１１２）内に挿入されたときに、前記突出部（２０２）が前記凹み部（２０６）内を摺動するように、構成される、請求項７〜１０のいずれか１項に記載の動力駆動型手持ち工具。
【請求項１２】
突出部（２０２）および凹み部（２０６）は、前記ハンドル（１１０）が前記連結部（１１２）内へ挿入されたときに、該ハンドル（１１０）の位置を、前記連結部（１１２）に対して前記第１の挿入位置（７０４）に規制するように、構成される、請求項１１に記載の動力駆動型手持ち工具。
【請求項１３】
前記連結部の凹み部は、実質的に前記連結部（１１２）の軸方向に延在する、請求項１１または１２に記載の動力駆動型手持ち工具。
【請求項１４】
前記自動式のロック機構は、スナップ式ロック機構（２０８、２１０）であり、
前記スナップ式ロック機構は、前記ハンドル（１１０）が前記連結部（１１２）内に挿入された後に、該ハンドル（１１０）が回転可能となるように、配置され、
前記ハンドル（１１０）の回転によって、前記突出部（２０２）は、前記スナップ式ロック機構（２０８）を通過し、予め定められた連続的な角度位置の範囲（７０８）に到達し、
前記連続的な角度位置の範囲（７０８）は、１以上の可能性のある動作位置（７１０〜７１８）を含み、
選択された回転位置にロックするために、ラッチが設けられる、請求項１３に記載の動力駆動型手持ち工具。
【請求項１５】
前記１以上の動作位置は、中央位置を含み、
前記スナップ式ロック機構は、前記中央動作位置から約９０°の位置に設けられる、請求項１４に記載の動力駆動型手持ち工具。
【請求項１６】
前記手持ち工具は、ヘッジトリマ、植木鋏、チェーンソー、および裁断工具のうちの１つである、請求項７〜１５のいずれか１項に記載の動力駆動型手持ち工具。
【請求項１７】
動力駆動型手持ち工具（１００）の連結部（１１２）およびハンドル（１１０）を、該連結部（１１２）を介して該動力駆動型手持ち工具（１００）に連結することによって、組み立てる方法であって、
前記ハンドル（１１０）を前記連結部に対して第１の挿入位置（７０４）に配置しているときに、前記ハンドル（１１０）の前端部を、前記連結部（１１２）の後端部内に挿入するステップと、
前記ハンドル（１１０）を、前記連結部（１１２）に対して、前記第１の挿入位置から、前記動力駆動型手持ち工具（１００）を操作するための第２の動作位置へ回転するステップと、を備え、
前記第２の動作位置において、前記ハンドル（１１０）を、自動式のロック機構によって、前記連結部（１１２）にロックすることができる、方法。
【請求項１８】
前記ハンドル（１１０）の前端部は、実質筒状の筒状部と、実質的に径方向外側に延在する突出部（２０２）と、を有し、
前記方法は、
前記突出部（２０２）を、前記連結部（１１２）に設けられた対応する凹み部（２０６）内で摺動させるステップと、
前記ハンドル（１１０）が動作位置（７０８）に到達する前に、前記ハンドル（１１０）を、自動式のロック機構（２０８、２１０）によって、前記第２の動作位置にロックするステップと、を備える、請求項１７に記載の方法。
【請求項１９】
選択された回転位置にロックするためのラッチを設けるステップを備え、
１以上の動作位置（７１０〜７１８）は、中央位置を含み、
前記第１の挿入位置は、前記中央位置および前記連結部（１１２）に対して、前記ハンドル（１１０）が実質逆さまとなる位置である、請求項１７または１８に記載の方法。
【請求項２０】
前記自動式のロック機構は、スナップ式ロック機構（２０８、２１０）である、請求項１７〜１９のいずれか１項に記載の方法。
【請求項２１】
前記ハンドル（１１０）が前記連結部（１１２）内へ挿入するときに、前記突出部（２０２）を前記凹み部（２０６）内で摺動させるときの前記突出部（２０２）と前記凹み部（２０６）との間の係合によって、該ハンドル（１１０）の位置を、前記連結部（１１２）に対して前記第１の挿入位置（７０４）に規制するステップをさらに備える、請求項１８に記載の方法。
【請求項２２】
前記自動式のロック機構は、スナップ式ロック機構（２０８、２１０）であり、
前記スナップ式ロック機構（２０８、２１０）は、前記ハンドル（１１０）が前記連結部（１１２）内に挿入された後に該ハンドル（１１０）を回転可能とし、
前記ハンドル（１１０）の回転によって、前記突出部（２０２）は、前記スナップ式ロック機構を通過し、予め定められた連続的な角度位置の範囲（７０８）に到達し、
前記連続的な角度位置の範囲（７０８）は、異なる作業環境に適応する１以上の可能性のある動作位置（７１０〜７１８）を含む、請求項１７〜２１のいずれか１項に記載の方法。